(57)【要約】【課題】連続して撮像する速度を速めた場合でも、画像の明るさを確保できる電子機器を提供する。【解決手段】電子機器は、筐体と、筐体に配置された第１撮像部４３及び第２撮像部４４と、第１撮像部４３及び第２撮像部４４がそれぞれ露出を開始するタイミングを異ならせると共に、第１撮像部４３及び第２撮像部４４それぞれの露出時間を同じにすることにより、第１撮像部４３及び第２撮像部４４それぞれが周期性をもって連続して撮像を行うよう第１撮像部４３及び第２撮像部４４を制御する制御部４５と、を備える。【選択図】図２
2012205117.tif 000002
【特許請求の範囲】
【請求項１】
筐体と、
前記筐体に配置された第１撮像部及び第２撮像部と、
前記第１撮像部及び前記第２撮像部がそれぞれ露出を開始するタイミングを異ならせると共に、前記第１撮像部及び前記第２撮像部それぞれの露出時間を同じにすることにより、前記第１撮像部及び前記第２撮像部それぞれが周期性をもって連続して撮像を行うよう前記第１撮像部及び前記第２撮像部を制御する制御部と、
を備える電子機器。
【請求項２】
前記制御部は、前記第１撮像部の露出時間内に前記第２撮像部が撮像のために露出を開始するように、前記第２撮像部が露出を開始するタイミングを制御する
請求項１に記載の電子機器。
【請求項３】
前記制御部は、前記第１撮像部に所定の周期で露出を開始させると共に、前記第１撮像部が露出を開始してから前記所定の周期の２分の１の時間が経過したタイミングで前記第２撮像部に露出を開始させる
請求項２に記載の電子機器。
【請求項４】
前記制御部は、前記第１撮像部及び前記第２撮像部それぞれが周期性をもって連続して撮像を行う場合に、前記第１撮像部による撮像と次の撮像との間に、前記第２撮像部による撮像を行うように、前記第１撮像部及び前記第２撮像部それぞれの露出時間に基づいて、前記第１撮像部における露出を開始するタイミングと前記第２撮像部における露出を開始するタイミングとを制御する
請求項１に記載の電子機器。
【請求項５】
前記第１撮像部によって撮像された画像と、前記第２撮像部によって撮像された画像とを記憶する記憶部と、
前記記憶部に記憶された画像を加工する画像加工部と、を備え、
前記画像加工部は、前記第１撮像部及び前記第２撮像部によって撮像されたそれぞれの画像のいずれにも含まれる領域を検出し、当該検出に基づいて前記それぞれの画像を加工する
請求項１から４のいずれか１項に記載の電子機器。
【請求項６】
筐体と、
前記筐体に配置された第１撮像部及び第２撮像部と、
前記第１撮像部の露出時間内に前記第２撮像部の露出を開始させ、且つ、前記第２撮像部の露出時間内に前記第１撮像部により撮像された画像の処理を行うと共に前記第１撮像部の次の露出を開始させる制御部と、
を備える電子機器。
【請求項７】
前記制御部は、前記第１撮像部及び前記第２撮像部がそれぞれ露出を開始するタイミングを異ならせると共に前記第１撮像部及び前記第２撮像部それぞれにおける露出を開始してから次の露出を開始するまでの周期を同じにすることで、前記第１撮像部の露出時間内に前記第２撮像部の露出を開始させ、且つ、前記第２撮像部の露出時間内に前記第１撮像部により撮像された画像の処理を行うと共に前記第１撮像部の次の露出を開始させる
請求項６に記載の電子機器。
【請求項８】
前記第１撮像部によって撮像された画像と、前記第２撮像部によって撮像された画像とを記憶する記憶部と、
前記記憶部に記憶された画像を加工する画像加工部と、をさらに備え、
前記画像加工部は、前記第１撮像部及び前記第２撮像部によって撮像されたそれぞれの画像のいずれにも含まれる領域を検出し、当該検出に基づいて前記それぞれの画像を加工する
請求項６又は７に記載の電子機器。
【発明の詳細な説明】
【技術分野】
【０００１】
本発明は、被写体を撮像する撮像部を備える電子機器に関する。
【背景技術】
【０００２】
携帯電話機等の電子機器には、筐体を構成する複数の面のうちいずれか１つの面に１つの撮像部が配置されたものがある。そのような電子機器は、例えば、撮像部によって被写体を連続して撮像すること（連写）が可能である（特許文献１参照）。
【先行技術文献】
【特許文献】
【０００３】
【特許文献１】特開２００５−２７７７３７号公報
【発明の概要】
【発明が解決しようとする課題】
【０００４】
しかしながら、上述した電子機器では、連続して撮像する速度（連写速度）（動画の場合にはフレームレート）を速くした場合には、１つの画像（フレーム）を撮像する時間（露出時間）が短くなるため、得られる画像の明るさを確保することができないおそれがある。
【０００５】
本発明は、連続して撮像する速度を速めた場合でも、画像の明るさを確保できる電子機器を提供することを目的とする。
【課題を解決するための手段】
【０００６】
本発明の電子機器は、筐体と、前記筐体に配置された第１撮像部及び第２撮像部と、前記第１撮像部及び前記第２撮像部がそれぞれ露出を開始するタイミングを異ならせると共に、前記第１撮像部及び前記第２撮像部それぞれの露出時間を同じにすることにより、前記第１撮像部及び前記第２撮像部それぞれが周期性をもって連続して撮像を行うよう前記第１撮像部及び前記第２撮像部を制御する制御部と、を備えることを特徴とする。
【０００７】
また、前記制御部は、前記第１撮像部の露出時間内に前記第２撮像部が撮像のために露出を開始するように、前記第２撮像部が露出を開始するタイミングを制御することが好ましい。
【０００８】
また、前記制御部は、前記第１撮像部に所定の周期で露出を開始させると共に、前記第１撮像部が露出を開始してから前記所定の周期の２分の１の時間が経過したタイミングで前記第２撮像部に露出を開始させることが好ましい。
【０００９】
また、前記制御部は、前記第１撮像部及び前記第２撮像部それぞれが周期性をもって連続して撮像を行う場合に、前記第１撮像部による撮像と次の撮像との間に、前記第２撮像部による撮像を行うように、前記第１撮像部及び前記第２撮像部それぞれの露出時間に基づいて、前記第１撮像部における露出を開始するタイミングと前記第２撮像部における露出を開始するタイミングとを制御することが好ましい。
【００１０】
また、電子機器は、前記第１撮像部によって撮像された画像と、前記第２撮像部によって撮像された画像とを記憶する記憶部と、前記記憶部に記憶された画像を加工する画像加工部と、を備え、前記画像加工部は、前記第１撮像部及び前記第２撮像部によって撮像されたそれぞれの画像のいずれにも含まれる領域を検出し、当該検出に基づいて前記それぞれの画像を加工することが好ましい。
【００１１】
また、本発明の電子機器は、筐体と、前記筐体に配置された第１撮像部及び第２撮像部と、前記第１撮像部の露出時間内に前記第２撮像部の露出を開始させ、且つ、前記第２撮像部の露出時間内に前記第１撮像部により撮像された画像の処理を行うと共に前記第１撮像部の次の露出を開始させる制御部と、を備えることを特徴とする。
【００１２】
また、前記制御部は、前記第１撮像部及び前記第２撮像部がそれぞれ露出を開始するタイミングを異ならせると共に前記第１撮像部及び前記第２撮像部それぞれにおける露出を開始してから次の露出を開始するまでの周期を同じにすることで、前記第１撮像部の露出時間内に前記第２撮像部の露出を開始させ、且つ、前記第２撮像部の露出時間内に前記第１撮像部により撮像された画像の処理を行うと共に前記第１撮像部の次の露出を開始させることが好ましい。
【００１３】
また、電子機器は、前記第１撮像部によって撮像された画像と、前記第２撮像部によって撮像された画像とを記憶する記憶部と、前記記憶部に記憶された画像を加工する画像加工部と、をさらに備え、前記画像加工部は、前記第１撮像部及び前記第２撮像部によって撮像されたそれぞれの画像のいずれにも含まれる領域を検出し、当該検出に基づいて前記それぞれの画像を加工することが好ましい。
【発明の効果】
【００１４】
本発明によれば、連続して撮像する速度を速めた場合でも、撮像によって得られる画像の明るさを確保することができる。
【図面の簡単な説明】
【００１５】
【図１】本発明の電子機器の一実施形態に係る携帯電話機の外観斜視図である。
【図２】携帯電話機の機能を示す機能ブロック図である。
【図３】第１撮像部及び第２撮像部における撮像のタイミングについて説明するための第１の図である。
【図４】第１撮像部及び第２撮像部における撮像のタイミングについて説明するための第２の図である。
【図５】第１撮像部及び第２撮像部によって得られる画像について説明するための図である。
【図６】第１撮像部及び第２撮像部の画角について説明するための図である。
【発明を実施するための形態】
【００１６】
以下、本発明の一実施形態について説明する。図１は、本発明の電子機器の一実施形態に係る携帯電話機１の外観斜視図である。なお、図１は、いわゆる折り畳み型の携帯電話機の形態を示しているが、本発明に係る携帯電話機の形態としては特にこれに限られない。例えば、携帯電話機は、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ、フリップタイプ）でもよい。
【００１７】
携帯電話機１は、操作部側筐体部２（筐体）と、表示部側筐体部３（筐体）とを備える。操作部側筐体部２は、前面１０に、操作部１１と、携帯電話機１の使用者が通話時に発した音声を入力するマイク１２とを備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。なお、これらのキーは、表示部２１と一体に形成されたタッチパネルに配置（表示）するようにしてもよい。
【００１８】
また、表示部側筐体部３は、前面２０に、各種情報を表示する表示部２１と、通話の相手側の音声を出力するスピーカ２２とを備える。
【００１９】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２０】
また、図２は、携帯電話機１の機能を示す機能ブロック図である。図３は、第１撮像部４３及び第２撮像部４４における撮像のタイミングについて説明するための第１の図である。図４は、第１撮像部４３及び第２撮像部４４における撮像のタイミングについて説明するための第２の図である。
【００２１】
携帯電話機１は、図２に示すように、操作部１１と、マイク１２と、スピーカ２２と、表示部２１と、通信部４１と、メモリ４２（記憶部）と、第１撮像部４３と、第２撮像部４４と、制御部４５と、画像加工部４６とを操作部側筐体部２又は表示部側筐体部３に備える。
【００２２】
通信部４１は、外部装置（図示せず）と通信を行う。
メモリ４２は、例えば、ワーキングメモリを含み、制御部４５による演算処理に利用される。また、メモリ４２には、複数のアプリケーションや当該アプリケーションが必要とする各種のテーブル等が記憶されている。また、メモリ４２は、着脱可能な外部メモリを兼ねていてもよい。また、メモリ４２は、第１撮像部４３によって撮像が行われることにより得られた画像と、第２撮像部４４によって撮像が行われることにより得られた画像とを記憶する。
【００２３】
第１撮像部４３は、操作部側筐体部２又は表示部側筐体部３の所定の面に配置される。第２撮像部４４は、操作部側筐体部２又は表示部側筐体部３の所定の面に配置される。第１撮像部４３及び第２撮像部４４は、同一の筐体部２，３に配置される。また、第１撮像部４３及び第２撮像部４４は、同一の被写体を撮像することができるように配置されている。所定の面は、本実施形態の場合、操作部側筐体部２の後面（前面１０とは反対側の面）、又は表示部側筐体部３の後面（前面２０とは反対側の面）である。第１撮像部４３及び第２撮像部４４それぞれは、同一の画角を有することが好ましい。なお、第１撮像部４３及び第２撮像部４４は、同一の筐体部２，３や同一の所定の面に配置されていなくともよいが、上記のような配置とすることで、例えば、第１撮像部４３及び第２撮像部４４によって撮像された画像から３次元（３Ｄ）画像を生成することができる。
【００２４】
制御部４５は、携帯電話機１の全体を制御しており、中央処理装置（ＣＰＵ）等を用いて構成される。
また、制御部４５は、第１撮像部４３及び第２撮像部４４がそれぞれ露出を開始するタイミングを非同期とすると共に、第１撮像部４３及び第２撮像部４４それぞれに対して設定される露出時間を同じにすることにより、第１撮像部４３及び第２撮像部４４それぞれが周期性をもって連続して撮像を行うよう第１撮像部４３及び第２撮像部４４を制御する。
【００２５】
露出を開始するタイミングを第１撮像部４３と第２撮像部４４との間で非同期とするとは、第１撮像部４３によって撮像を開始する時刻と、第２撮像部４４によって撮像を開始する時刻とを異ならせることである。これにより、第１撮像部４３及び第２撮像部４４それぞれが連続して撮像を行う（連写を行う）場合には、第１撮像部４３による撮像と第２撮像部４４による撮像とが交互に行われる。また、露出時間（露光時間）は、被写体の明るさを検出する検出部（図示せず）の検出結果に基づいて、制御部４５によって決定される。さらに、周期性をもって連続して撮像を行うとは、一定時間毎に撮像を行うことをいう。
【００２６】
また、制御部４５は、第１撮像部４３が撮像を行っている露出時間内に第２撮像部４４が撮像のために露出（露光）を開始するように、第２撮像部４４が露出を開始するタイミングを制御する。すなわち、制御部４５は、第１撮像部４３における露出を開始するタイミング（図３に示す（１））と、第１撮像部４３における露出を終了するタイミング（図３に示す（２））との間に、第２撮像部４４における露出を開始するタイミング（図３に示す（４））が挿入されるように、第２撮像部４４を制御する。
【００２７】
また、第１撮像部４３及び第２撮像部４４それぞれが周期性をもって連続して撮像を行う場合には、制御部４５は、第２撮像部４４における露出を開始するタイミング（図３に示す（４））と、第２撮像部４４における露出を終了するタイミング（図３に示す（５））との間に、第１撮像部４３によって２枚目の画像を撮像するための露出を開始するタイミング（図３に示す（７））が挿入されるように、第１撮像部４３を制御する。
【００２８】
なお、図３に示す（３）の時間は、第１撮像部４３における露出時間を示す。すなわち、図３に示す（３）（（１）と（２）の間）は、第１撮像部４３が撮像中であることを示す。また、図３に示す（６）の時間は、第２撮像部４４における露出時間を示す。すなわち、図３に示す（６）（（４）と（５）の間）は、第２撮像部４４が撮像中であることを示す。
【００２９】
このようなタイミングで第１撮像部４３及び第２撮像部４４それぞれが撮像を行った場合には、図３（ｃ）に示すように、第１撮像部４３による撮像に基づく画像と、第２撮像部４４による撮像に基づく画像とが交互に得られる。これにより、第１撮像部４３及び第２撮像部４４それぞれにおける連続して撮像する速度をより高速にしなくとも、携帯電話機１全体では、連続して撮像する速度をより高速にした状態となる。そして、第１撮像部４３及び第２撮像部４４それぞれにおいては、連続して撮像する速度をより高速にしていないので、１枚の画像を撮像するのに十分な露出時間が確保される。ここで、図３（ｃ）に示される「１」及び「２」は、それぞれ第１撮像部４３及び第２撮像部４４によって得られた画像であることを示す。
図３に示すタイミングでの第１撮像部４３及び第２撮像部４４による連続した撮像（連写）は、例えば、被写体の静止画を得る場合に行われる。
【００３０】
なお、第１撮像部４３によって画像を得るために撮像を開始するタイミングと、第１撮像部４３によって次の画像を得るために撮像を開始するタイミングとの間を半分にするタイミングで、第２撮像部４４によって撮像を開始することが好ましい。すなわち、制御部４５は、第１撮像部４３の露出を開始する周期（図３において（１）と（７）の間の時間）をＴとすると、第１撮像部４３が露出を開始してから時間Ｔ／２後に第２撮像部４４が露出を開始するように制御を行えばよい。同様に、第２撮像部４４によって画像を得るために撮像を開始するタイミングと、第２撮像部４４によって次の画像を得るために撮像を開始するタイミングとの間を半分にするタイミングで、第１撮像部４３によって撮像を開始することが好ましい。これにより、携帯電話機１は、一定の間隔毎の画像を得ることができる。
【００３１】
また、制御部４５は、第１撮像部４３及び第２撮像部４４それぞれが周期性をもって連続して撮像を行う場合に、第１撮像部４３による撮像と次の撮像との間に、第２撮像部４４による撮像を行うように、第１撮像部４３及び第２撮像部４４それぞれの露出時間に基づいて、第１撮像部４３における露出を開始するタイミングと第２撮像部４４における露出を開始するタイミングとを制御する。
【００３２】
すなわち、第１撮像部４３によって画像を得るための露出を終了するタイミング（図４に示す（８））と、第１撮像部４３によって次の画像を得るために露出を開始するタイミング（図４に示す（９））との間に、第２撮像部４４によって画像を得るための露出を開始するタイミング（図４に示す（１１））と、第２撮像部４４によってその画像を得るための露出を終了するタイミング（図４に示す（１２））が挿入されるように、制御部４５は、第１撮像部４３及び第２撮像部４４を制御する。
【００３３】
また、第２撮像部４４によって画像を得るための露出を終了するタイミング（図４に示す（１２））と、第２撮像部４４によって次の画像を得るために露出を開始するタイミング（図４に示す（１３））との間に、第１撮像部４３によって画像を得るための露出を開始するタイミング（図４に示す（９））と、第１撮像部４３によってその画像を得るための露出を終了するタイミング（図４に示す（１０））が挿入されるように、制御部４５は、第１撮像部４３及び第２撮像部４４を制御する。
【００３４】
すなわち、制御部４５は、第１撮像部４３及び第２撮像部４４それぞれの露出時間に基づいて、第１撮像部４３における撮像終了から次の撮像開始までの間隔と、第２撮像部４４における撮像終了から次の撮像開始までの間隔とを調整する。
【００３５】
このようなタイミングで第１撮像部４３及び第２撮像部４４それぞれが撮像を行った場合には、図４（ｃ）に示すように、第１撮像部４３による撮像に基づく画像と、第２撮像部４４による撮像に基づく画像とが交互に得られる。これにより、第１撮像部４３及び第２撮像部４４それぞれにおける連続して撮像する速度をより高速にしなくとも、携帯電話機１全体では、連続して撮像する速度をより高速にした状態となる。そして、第１撮像部４３及び第２撮像部４４それぞれにおいては、連続して撮像する速度をより高速にしていないので、１枚の画像を撮像するのに十分な露出時間が確保される。ここで、図４（ｃ）に示される「１」及び「２」は、それぞれ第１撮像部４３及び第２撮像部４４によって得られた画像であることを示す。
図４に示すタイミングでの第１撮像部４３及び第２撮像部４４による連続した撮像（連写）は、例えば、被写体の動画及び静止画を得る場合に行われる。
【００３６】
画像加工部４６は、メモリ４２に記憶された画像を加工する。すなわち、画像加工部４６は、第１撮像部４３及び第２撮像部４４によって撮像されたそれぞれの画像のいずれにも含まれる領域を検出し、その検出に基づいてそれぞれの画像を加工する。具体的には、画像加工部４６は、第１撮像部４３によって撮像された第１画像と、第２撮像部４４によって撮像された第２画像とのうちいずれの画像にも含まれる領域を各画像から取り出すような加工を行う。
【００３７】
この場合、画像加工部４６は、例えば、第１画像に記録される被写体の特徴点（一例として輪郭等）と、第２画像に記録される被写体の特徴点（一例として輪郭等）とを比較することに基づいて、いずれの画像にも含まれる領域を検出する。具体的な一例としては、画像加工部４６は、図５に示すように、第１画像（Ａ）に記録される花（被写体）の輪郭と、第２画像（Ｂ）に記録される花（被写体）の輪郭とを比較することに基づいて、いずれの画像にも含まれる領域（Ｃ）を検出する。
【００３８】
また、画像加工部４６は、例えば、第１撮像部４３と第２撮像部４４との筐体における位置関係や、第１撮像部４３の画角（図６に示す（Ｄ））や、第１撮像部４３から被写体までの距離や、第２撮像部４４の画角（図６に示す（Ｅ））や、第２撮像部４４から被写体までの距離等に基づいて計算を行うことにより、いずれの画像にも含まれる領域を検出することもできる。
【００３９】
画像加工部４６は、いずれの画像にも含まれる領域を検出した場合、検出した領域を新たな画像として生成して、メモリ４２に記憶する。また、画像加工部４６は、いずれの画像にも含まれる領域を検出した場合、決定した領域のサイズを拡大して第１画像及び第２画像と同じサイズにすると共に新たな画像として生成して、メモリ４２に記憶することもできる。また、画像加工部４６は、いずれの画像にも含まれる領域を検出した場合、いずれの画像にも含まれない領域のうちいずれか１箇所を削除すると共に、各画像同士の境界線近傍領域において被写体の輪郭や色をぼやかす等の画像補正を行うこともできる。この場合には、いずれの画像に含まれる領域のみを新たな画像とする場合に比べて、画像のサイズを維持することができる。また、画像加工部４６は、連写によって得られた画像をメモリ４２に記憶する際に、いずれの画像にも含まれない領域のそれぞれの一部を削除すると共に、各画像同士の境界線近傍領域において画像補正を行うこともできる。この場合には、画像のサイズを維持しつつ、被写体が中心に位置する画像を得ることができる。
【００４０】
ここで、領域を検出するための第１画像と第２画像とは、第１撮像部４３及び第２撮像部４４それぞれによって交互に撮像されることにより得られた画像のうち、連続する画像（図３に示す場合では、第１画像Ａ１と第２画像Ｂ１）であってもよく、連続しない画像（図３に示す場合では、例えば、第１画像Ａ２と第２画像Ｂ２）であってもよい。
【００４１】
以上説明したように、本実施形態の携帯電話機１によれば、以下の効果が奏される。
すなわち、本実施形態の携帯電話機１は、露出を開始するタイミングを第１撮像部４３と第２撮像部４４とで非同期とすると共に、第１撮像部４３及び第２撮像部４４それぞれに対して設定される露出時間を同じにすることにより、第１撮像部４３及び第２撮像部４４それぞれが周期性をもって連続して撮像を行うようにした。これにより、携帯電話機１は、被写体を連続して撮像することができる。また、携帯電話機１は、第１撮像部４３と第２撮像部４４とで交互に撮像を行うので、第１撮像部４３及び第２撮像部４４それぞれのフレームレートがより高速にならなくとも、携帯電話機１全体としてはフレームレートをより高速にすることができる。さらに、携帯電話機１は、第１撮像部４３及び第２撮像部４４それぞれのフレームレートがより高速にならないので、第１撮像部４３及び第２撮像部４４それぞれによって撮像される画像の明るさを確保することができる。また、一方の撮像部が露出（露光）している間に他の撮像部で撮像された画像に対して所定の処理を行うことができるので、制御部４５に過大な処理負担がかかることを低減することができる。
【００４２】
また、携帯電話機１は、第１撮像部４３が撮像を行っている露出時間内に第２撮像部４４が撮像のために露出を開始するように、第２撮像部４４に対して露出を開始するタイミングを設定する。これにより、携帯電話機１は、静止画を連続して撮像することができる。また、携帯電話機１は、第１撮像部４３によって撮像を行う場合の露出時間の一部と、第２撮像部４４によって撮像を行う場合の露出時間の一部とが重なるので、各撮像部４３，４４によって得られる画像の連続性を良くすることができる。
【００４３】
また、携帯電話機１は、第１撮像部４３及び第２撮像部４４それぞれが周期性をもって連続して撮像を行う場合に、第１撮像部４３による撮像と次の撮像との間に、第２撮像部４４による撮像を行うように、第１撮像部４３及び第２撮像部４４それぞれの露出時間に基づいて、第１撮像部４３における露出を開始するタイミングと第２撮像部４４における露出を開始するタイミングとを設定する。これにより、携帯電話機１は、動画を撮像し、及び静止画を連続して撮像することができる。
【００４４】
また、携帯電話機１は、第１撮像部４３及び第２撮像部４４によって撮像されたそれぞれの画像のいずれにも含まれる領域を検出し、その検出に基づいてそれぞれの画像を加工させる。これにより、携帯電話機１は、第１撮像部４３によって撮像された画像と、第２撮像部４４によって撮像された画像とのいずれにも含まれる領域の画像を得ることができる。
【００４５】
なお、上述した実施形態では、本発明が携帯電話機１に適用される場合を例示して説明した。しかしながら、本発明は、この実施形態に限定されることはなく、例えば、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）やポータブルゲーム機やポータブルナビゲーションデバイス等の撮像部を搭載可能な電子機器にも適用することができる。
【００４６】
また、上述した実施形態では、制御部４５が、第１撮像部４３及び第２撮像部４４がそれぞれ露出を開始するタイミングを異ならせると共に第１撮像部４３及び第２撮像部４４の露出時間を一定とすることで第１撮像部４３の露出時間内に第２撮像部４４が露出を開始するよう制御を行っていたが、本発明はこれに限定されない。
【００４７】
例えば、第１撮像部４３及び第２撮像部４４がそれぞれ露出を開始するタイミングを異ならせると共に第１撮像部４３及び第２撮像部４４それぞれにおける露出を開始してから次の露出を開始するまでの周期（第１撮像部４３であれば、図３における（１）から（７）までの時間）を同じとすることで、第１撮像部４３の露出時間内に第２撮像部４４の露出を開始させ、且つ、第２撮像部４４の露出時間内に第１撮像部４３により撮像された画像の処理を行うと共に前記第１撮像部４３の次の露出を開始させる制御を行ってもよい。
【００４８】
また、第１撮像部４３の露出時間内に第２撮像部４４が露出を開始し、第２撮像部４４の露出時間内に第１撮像部４３により撮像された画像の処理を行うと共に第１撮像部４３の次の露出を開始させることができれば、第１撮像部４３及び第２撮像部４４それぞれにおける露出を開始してから次の露出を開始するまでの周期は異なっていてもよい。
【符号の説明】
【００４９】
１  携帯電話機（電子機器）
２  操作部側筐体部（筐体）
３  表示部側筐体部（筐体）
４２  メモリ（記憶部）
４３  第１撮像部
４４  第２撮像部
４５  制御部
４６  画像加工部
【図１】
2012205117.tif 000003
【図２】
2012205117.tif 000004
【図３】
2012205117.tif 000005
【図４】
2012205117.tif 000006
【図５】
2012205117.tif 000007
【図６】
2012205117.tif 000008